(57)【要約】【課題】  スクリーン上での画像のひずみを無くすとともに装置構成を簡略化し、さらに、小型化を可能にしたプロジェクタを提供する。【解決手段】  光源と、光源からの光を変調する光変調素子１００と、光変調素子１００により変調された光を投射する投射レンズと、光変調素子１００に対し所定の位置に配置されたスクリーン２００と、を備えたプロジェクタである。光変調素子１００には複数の光出射部６０が設けられ、スクリーン２００上には各光出射部６０にそれぞれ対応する複数の画素部２１０が設けられ、各光出射部６０には、各光出射部６０からそれぞれ出射される光の焦点距離を、対応する各画素部２１０までの光路長にほぼ一致させる焦点調節手段が備えられている。【選択図】        図５
2006215161.tif 000002
【特許請求の範囲】
【請求項１】
光源と、該光源からの光を変調する光変調素子と、該光変調素子により変調された光を投射する投射レンズと、前記光変調素子に対し所定の位置に配置されたスクリーンと、を備えたプロジェクタにおいて、
前記光変調素子には複数の光出射部が設けられ、前記スクリーン上には前記各光出射部にそれぞれ対応する複数の画素部が設けられ、
前記各光出射部には、該各光出射部からそれぞれ出射される光の焦点距離を、対応する各画素部までの光路長にほぼ一致させる焦点調節手段が備えられたことを特徴とするプロジェクタ。
【請求項２】
前記焦点距離調節手段が、マイクロレンズからなることを特徴とする請求項１に記載のプロジェクタ。
【請求項３】
前記光源と前記光変調素子と前記投射レンズとを筐体内に備えてなり、該筐体の前面には前記スクリーンが設けられてなることを特徴とする請求項１又は２に記載のプロジェクタ。
【発明の詳細な説明】
【技術分野】
【０００１】
本発明は、プロジェクタに関する。
【背景技術】
【０００２】
プロジェクタは、光源からの光を光変調素子によって変調し、投射レンズによってスクリーン上に画像を拡大表示するものである。
また、近年では、光源と光変調素子とスクリーンとを筐体内に設けて、スクリーンの背面側から映像を投射することで、大画面の画像を表示させるプロジェクタ（リアプロジェクタ）もある。
ところで、プロジェクタでは、スクリーンに対して均一に光を投射することで、スクリーン上での画像のひずみを防止している。
【０００３】
特に、前述したリアプロジェクタは、構造上スクリーンに対して上方、もしくは下方から画像を投射するため、例えば各光路の調節を行わずに直接スクリーン上に投射した場合、スクリーン上の画像を構成する各画素（画素部）毎の光路長に違いが生じてしまう。このとき、例えば光路長の長い画素にピントを合わせると、光路長の短い画素においてはピントがボケてしまう。したがって、スクリーン上の画像がひずんでしまう。
そこで、前記光変調素子からの光を鏡等の光学系によって反射させることで、光路長を調節し、スクリーン上の画像のひずみを防止した技術がある（例えば、特許文献１参照）。
【特許文献１】特開２００２−１０７６６３号公報
【発明の開示】
【発明が解決しようとする課題】
【０００４】
しかしながら、前述したようにリアプロジェクタ（プロジェクタ）は、光学系を新たに設ける必要があるため、プロジェクタの装置構成が複雑になっていた。
また、特にリアプロジェクタは屋内での用途が高く、設置場所を取らないことが望まれており、このことから小型化が望まれている。
しかしながら、光学系を備えたリアプロジェクタは、前述したように光路長を調節することで画像のひずみを無くことはできるものの、前記光学系を設けるためのスペースが必要となり、リアプロジェクタの筐体の奥行きが広がってしまう。したがって、十分な小型化（薄型化）を図ることができなかった。
【０００５】
本発明は前記事情に鑑みてなされたもので、その目的とするところは、スクリーン上での画像のひずみを無くすとともに装置構成を簡略化し、さらに、小型化を可能にしたプロジェクタを提供することにある。
【課題を解決するための手段】
【０００６】
本発明のプロジェクタは、光源と、該光源からの光を変調する光変調素子と、該光変調素子により変調された光を投射する投射レンズと、前記光変調素子に対し所定の位置に配置されたスクリーンと、を備えたプロジェクタにおいて、前記光変調素子には複数の光出射部が設けられ、前記スクリーン上には前記各光出射部にそれぞれ対応する複数の画素部が設けられ、前記各光出射部には、該各光出射部からそれぞれ出射される光の焦点距離を、対応する各画素部までの光路長にほぼ一致させる焦点調節手段が備えられたことを特徴とする。
【０００７】
本発明のプロジェクタによれば、各光出射部からスクリーン上の対応する各画素部までの光路長が異なっていても、各光出射部が備えた焦点距離調節手段によって、光出射部からの光は、対応する画素部上で焦点を結ぶようになる。
すなわち、各光出射部からの光が、対応するすべての画素部上で焦点を結ぶことで、スクリーン上のすべての画素部には焦点距離（ピント）の合った像が投射される。ここで、スクリーン上の各画素部から構成される画像は、全ての画素部での焦点距離（ピント）があっているので、画像のひずみは生じないようになっている。
また、従来のように鏡等の光学系を用いることなく、前記光出射部毎に焦点調節手段を備えることでスクリーン上の画像のひずみを防止しているので、プロジェクタの装置構成を簡略化することができる。
【０００８】
前記プロジェクタにおいては、前記焦点距離調節手段が、マイクロレンズからなることが好ましい。
このようにすれば、前記光出射部毎に、例えばフォトリソグラフィ法やエッチングを用いてマイクロレンズを設けることで、スクリーン上の画素部毎の焦点距離を容易に調節することができる。
【０００９】
前記プロジェクタにおいては、前記光源と前記光変調素子と前記投射レンズとを筐体内に備えてなり、該筐体の前面には前記スクリーンが設けられてなることが好ましい。
このようにすれば、例えばスクリーンの背面側から画像を投射することで、大画面の画像を表示させるリアプロジェクタ装置として用いることができる。このとき、リアプロジェクタは構造上スクリーンに対して下方、及び上方から画像を投射するため、従来のように鏡等の光学系を用いないと、スクリーン上の画像にひずみが生じてしまう。そこで、前述したように本発明では、前記各画素部における焦点距離を各光路長に合わせることで、前記の光学系を用いることなくスクリーン上の画像のひずみを防止できる。
よって、前記筐体内に前記の光学系を設けるスペースが不要となり、筐体の厚みを薄くでき、結果としてリアプロジェクタ装置の小型化、薄型化を図ることができる。
【発明を実施するための最良の形態】
【００１０】
以下、本発明の実施形態について、図面を参照しつつ説明する。なお、以下で参照する各図面においては、図面を見易くするために、各構成要素の寸法等を適宜変更して表示している。
図１（ａ）は、本発明のプロジェクタをリアプロジェクタ装置として用いた実施形態を模式的に示すもので、図中符号１はリアプロジェクタ装置である。
図１（ａ）に示すように、リアプロジェクタ装置１は、後述する光源と光変調素子と投射レンズとからなる投射光学系１５０と、スクリーン２００と、前記投射光学系１５０と前記スクリーン２００とを所定の位置に保持する筐体１０とから構成されている。そして、具体的には、前記筐体１０内に投射光学系１５０が設けられ、前記筐体１０の全面には前記スクリーン２００が設けられている。
【００１１】
図１（ｂ）は、前記リアプロジェクタ装置１の側断面を模式的に示した図であって、図１（ｂ）に示すように、リアプロジェクタ装置１は、前記投射光学系１５０から前記スクリーン２００上に２点鎖線で示す画像（光）を投射するもので、スクリーン２００の背面側から画像を投射することで、大画面の画像を表示させる画像表示装置として用いられている。
また、本実施形態のリアプロジェクタ装置１は、投射光学系１５０がスクリーン２００に対して下方から直接光を投射するようにして筐体１０内に設けられている。よって、前記筐体１０の奥行き（厚み）を抑えることで、リアプロジェクタ装置１を小型で、薄くしている。
【００１２】
図２は、前記リアプロジェクタ装置１の投射光学系１５０の構成を示す概略図である。なお、図２中においては、簡略化のためリアプロジェクタ装置１を構成する筐体１０の図示を省略するものとする。
投射光学系１５０は、前述したように光源と、該光源からの光を変調する光変調素子と、この光変調素子により変調された光を投射する投射レンズとから構成されるものである。また、本実施形態の投射光学系１５０においては、前記光変調素子として液晶ライトバルブを採用している。
【００１３】
図２に示すように、投射光学系１５０は、ハロゲンランプ等の白色の光源からなるランプユニット１０２が設けられている。このランプユニット（光源）１０２から出射された光は、内部に配置された３枚のミラー１０６および２枚のダイクロイックミラー１０８によってＲＧＢの３原色に分離されて、各原色に対応する液晶ライトバルブ１００Ｒ（赤色）、１００Ｇ（緑色）および１００Ｂ（青色）にそれぞれ導かれるようになっている。ここで、液晶ライトバルブ１００Ｒ、１００Ｇおよび１００Ｂは、画像信号処理回路（図示省略）から供給されるＲ、Ｇ、Ｂの原色信号でそれぞれ駆動されるものである。
また、Ｂ（青）色の光は他のＲ（赤）色やＧ（緑）色と比較すると、光路が長いので、その損失を防ぐために、入射レンズ１２２、リレーレンズ１２３および出射レンズ１２４からなるリレーレンズ系１２１を介して導かれるようになっている。
【００１４】
液晶ライトバルブ１００Ｒ、１００Ｇ、１００Ｂによってそれぞれ変調された光は、ダイクロイックプリズム１１２に３方向（液晶ライトバルブ１００Ｒ、１００Ｇ、１００Ｂ）から入射するようになっている。前記ダイクロイックプリズム１１２は、Ｒ色およびＢ色の光は９０度に屈折する一方、Ｇ色の光は直進するようになっている。従って、前記各液晶ライトバルブ１００Ｒ、１００Ｇ、１００Ｂの後述する各光出射部からの光を合成するようになっている。そして、合成された各光出射部の光を投射レンズ１１４を介して、スクリーン２００上に投射するようになっている。
なお、液晶ライトバルブ１００Ｒ、１００Ｇおよび１００Ｂには、ダイクロイックミラー１０８によって、Ｒ、Ｇ、Ｂの各原色に対応する光が入射するので、カラーフィルタを設ける必要はない。
【００１５】
次に、液晶ライトバルブ１００（１００Ｒ，１００Ｇ，１００Ｂ）について説明する。なお、本実施形態では、前述したようにＲ，Ｇ，Ｂ各色に対応した３種類の液晶ライトバルブを用いているが、これらの構造は同じものとし、以下の説明では液晶ライトバルブ１００について説明する。
図３は、液晶ライトバルブ１００の平面図である。図３に示すように、本実施形態の液晶ライトバルブ１００は、図３中破線で示される光出射部６０の直上を覆うようにして、多数のマイクロレンズ（焦点距離調節手段）５００が設けられている。なお、本実施形態における光出射部６０とは、前述したランプユニット１０２を３原色に分離した各色の光を、各色に対応した液晶ライトバルブ１００Ｒ，１００Ｇ，１００Ｂによって変調した後、光を出射する領域である。
【００１６】
また、図４は、図３におけるＡ−Ａ線矢視による液晶ライトバルブ１００の側断面を示した図である。
図４に示すように、液晶ライトバルブ１００は、ＴＦＴアクティブマトリクス駆動方式の液晶装置であって、対向基板２５０とアクティブマトリクス基板２６０とが対向配置されて構成されたものである。対向基板２５０の光出射側で、前記光出射部６０の直上となる位置に、前記マイクロレンズ５００が複数形成配置されている。
【００１７】
本実施形態の液晶ライトバルブ１００の画素領域上に形成されるマイクロレンズ５００としては、例えば透明の樹脂等を用いることができる。このマイクロレンズ５００を形成する方法としては、例えば液滴吐出法（インクジェット法）、フォトリソグラフィ法、又はエッチング等が挙げられる。よって、このマイクロレンズ５００は、前記液晶ライトバルブ１００の各光出射部６０上に設けることで、後述するように、各光出射部６０から出射する光の焦点距離を調節可能となっている。
【００１８】
前記対向基板２５０はガラス等の透明基板から形成されていて、この対向基板２５０の表面上には、印刷法、蒸着法、スパッタリング法などを用いてブラックマトリクス、金属膜などからなる遮光層５３が所定のパターンで形成されている。この遮光層５３は、前述した光出射部６０を光が通過することによる液晶ライトバルブ１００のコントラスト比の低下を抑制するためのものである。
【００１９】
そして、前記遮光層５３上には、透明な電極５１が全面ベタ状に形成されている。このようにして、液晶層を挟持するための対向基板２５０が構成されている。
この対向基板２５０を用いて液晶ライトバルブ１００を構成するには、前記対向基板２５０の表面に配向膜（図示せず）を塗布し、配向膜をラビング処理する。そして、図４に示すように、対向基板２５０と対向配置するＴＦＴ（薄膜トランジスタ）３０や画素電極９ａを備えるアクティブマトリクス基板２６０とを対向配置してシール材５２で貼り合わせるとともに、その間に液晶５０を注入することで前記液晶ライトバルブ１００を構成している。
【００２０】
前記シール材５２は、アクティブマトリクス基板２６０と、対向基板２５０とを貼り合わせてパネルとするための紫外線硬化樹脂や熱硬化樹脂等からなり、アクティブマトリクス基板２６０上に塗布された後、アクティブマトリクス基板２６０と対向基板２５０とを重ねた状態で、紫外線照射や加熱等により硬化させたものである。液晶ライトバルブ１００を投射型表示装置用のように小型で、拡大表示を行うものに用いれば、シール材５２中には、両基板内の距離（基板間ギャップ）を所定値とするためのグラスファイバ或いはガラスビーズ等のギャップ材（スペーサ）を配合することが好ましい。
【００２１】
次に、前記マイクロレンズ５００を詳しく説明するに際し、まず始めに、スクリーン２００と前記液晶ライトバルブ１００との対応関係について説明する。
前述したように、液晶ライトバルブ１００としては、３種類（１００Ｒ，１００Ｇ，１００Ｂ）があるが、これらの構造は同一なものとして説明する。
【００２２】
図５は、前記液晶ライトバルブ１００の光出射部６０とスクリーン２００上の画素部２１０との対応関係を模式的に示し、前記液晶ライトバルブ１００をアクティブマトリクス基板側から見た状態を示す図である。ここで、図５中においては、マイクロレンズ５００、及び投射レンズ１１４の図示を省略している。なお、前記画素部２１０は、前記液晶ライトバルブ１００の光出射部６０から光がスクリーン２００上に投射された際に形成される画素となる領域であって、スクリーン２００における見掛け上の画素を示している。
【００２３】
ここで、液晶ライトバルブ１００には、複数の光出射部６０が形成されていて、前記光出射部６０における配列を、図５中矢印Ａで示す方向を行方向とし、図５中矢印Ｂで示す方向を列方向とする。また、スクリーン２００上の画素部２１０の配列を、図５中矢印ａで示す方向を行方向とし、図５中矢印ｂで示す方向を列方向とする。
【００２４】
このとき、各液晶ライトバルブ１００Ｒ，１００Ｇ，１００Ｂにおける同じ（行と列番号が一致する）位置の光出射部６０を透過した光は、前記ダイクロイックプリズム１１２に３方向から入射しＲ，Ｇ，Ｂを合成した後、スクリーン２００上の画素部２１０に投射するようになっている。したがって、各液晶ライトバルブ１００Ｒ，１００Ｇ，１００Ｂとスクリーン２００との間には、同様の対応関係が成り立つこととなる。
【００２５】
図５に示すように、前記液晶ライトバルブ１００の各光出射部６０から出射された光は、前記ダイクロイックプリズム１１２（図２参照）によってＲＧＢ各色を合成した後、投射レンズ１１４によって、スクリーン２００上の対応する位置の画素部２１０に拡大投射されるようになっている。
ここで、対応するとは、液晶ライトバルブ１００の光出射部６０の位置（行番号、列番号）と、スクリーン２００上の位置（行番号、列番号）とが同じとなる関係を意味している。具体的には、図５に示すように、液晶ライトバルブ１００Ｒの１行目、１列目における光出射部６０´から出射された光は、スクリーン２００上の１行目、１列目における画素部２１０´に投射されるものとする。なお、前述したように、前記画素部２１０は前記光出射部６０に対応しているので、光出射部６０と同じ数だけ設けられている。
【００２６】
次に、前記光出射部６０に形成されたマイクロレンズ５００について説明する。
図６は、前記液晶ライトバルブ１００からの光をスクリーン２００に投射する状態を模式的に示す側面図である。なお、実際は、前述したように、前記液晶ライトバルブ１００とスクリーン２００との間には、前記ダイクロイックプリズム１１２（図２参照）、及び投射レンズ１１４（図２参照）が設けられているが、説明を簡略化のため、図示を省略している。また、図６中に示すスクリーン２００の下方となる矢印方向は、図５で説明したスクリーン２００の行方向（矢印ａ）に対応するものである。
【００２７】
本実施形態のリアプロジェクタ装置１は、前述したように前記液晶ライトバルブ１００の各光出射部６０からの光（画像）をスクリーン２００に対して下方から投射するようになっている。ここで、例えば、スクリーン２００の最上段を１行目の画素部２１０、スクリーン２００の最下段をｎ行目（ｎは画素部２１０の行数）する。
このとき、図６に示すように、光出射部６０から画素部２１０までの光路長は、１列目の画素部２１０とｎ行目の画素部２１０との間で異なっている。
具体的には、スクリーン２００のｎ行目（下段）に向かうに従って、画素部２１０までの光路長は短く、スクリーン２００の１行目（上段）に向かうに従って、画素部２１０までの光路長は長くなる。
【００２８】
前記投射光学系１５０から画素部２１０までの光路においては、各液晶ライトバルブ１００から光を出射した後、合成された光を投射レンズ１１４によってスクリーン２００上に拡大表示するようになっている。なお、前記投射レンズ１１４は、液晶ライトバルブ１００の光出射部６０を、スクリーン２００上に拡大するためのもので、前記光出射部６０から投射された光の光路長に影響を与えることがない。したがって、本実施形態では、前記投射光学系１５０からスクリーン２００上の画素部２１０までの光路長は、液晶ライトバルブ１００の各光出射部６０から、この各光出射部６０に対応する画素部２１０までの光路長とする。
【００２９】
本実施形態の液晶ライトバルブ１００の各光出射部６０上には、本発明の特徴となるマイクロレンズ５００が設けられている（図３，図４参照）。このマイクロレンズ５００は、各光出射部６０からそれぞれ出射される光の焦点距離を、対応する各画素部２１０までの光路長にほぼ一致させるようになっている。よって、前記光出射部６０毎に、前述したようにフォトリソグラフィ法やエッチングを用いてマイクロレンズを設けることで、スクリーン上の画素部２１０毎の焦点距離を容易に調節できる。なお、前記マイクロレンズ５００は、例えばレンズの曲率半径を調節することで、容易に焦点距離の変更手段となる。
【００３０】
具体的には、前述したように、スクリーン２００の図５中矢印ａ´方向に設けらた画素部２１０は、前記液晶ライトバルブ１００からの光路長が短くなるため、この画素部２１０に対応する光出射部６０に設けるマイクロレンズ５００の焦点距離を光路長に合わせて短くしている。また、図５中矢印ａ´方向の反対側に設けらた画素部２１０は、前記の矢印ａ´方向に設けられた画素部２１０よりも光路長が長くなるため、この画素部２１０に対応する光出射部６０に設けるマイクロレンズ５００の焦点距離を光路長に合わせて長くしている。
したがって、本実施形態のリアプロジェクタ装置１は、各光出射部６０からスクリーン２００上の対応する各画素部２１０までの光路長が異なっていても、各光出射部６０が備えたマイクロレンズ５００によって、光出射部６０からの光は、対応する画素部２１０上で焦点を結ぶようになる。
【００３１】
次に、リアプロジェクタ装置１を用いてスクリーン２００上に画像を投射する際について説明する。
前記リアプロジェクタ装置１は、光源として用いるランプユニット１０２からの光を、ダイクロイックミラー１０８によってＲＧＢの３原色に分離し、各液晶ライトバルブ１００Ｒ、１００Ｇ、１００Ｂによってそれぞれ変調する。
このとき、本実施形態の液晶ライトバルブ１００Ｒ、１００Ｇ、１００Ｂの光出射部６０には、前記マイクロレンズ５００が設けられている。すなわち、リアプロジェクタ装置１のように構造上、スクリーン２００の下方から画像を投射することで、各光出射部６０からスクリーン２００上の対応する各画素部２１０までの光路長が異なっていても、各光出射部６０が備えたマイクロレンズ５００によって、光出射部６０からの光が、対応する画素部２１０上で焦点を結ぶ。
【００３２】
そして、前記各液晶ライトバルブ１００Ｒ、１００Ｇ、１００Ｂによって変調された光は、ダイクロイックプリズム１１２に３方向（液晶ライトバルブ１００Ｒ、１００Ｇ、１００Ｂ）から入射する。
ダイクロイックプリズム１１２において、Ｒ色およびＢ色の光は９０度に屈折する一方、Ｇ色の光は直進する。従って、各光出射部６０の色が合成されて、投射レンズ１１４を介して、対応するスクリーン２００上の画素部２１０に光が投射される。
ここで、各光出射部６０からの光が、対応する全ての画素部２１０上で焦点を結ぶことで、スクリーン２００上のすべての画素部２１０には焦点距離（ピント）の合った像が投射される。ここで、スクリーン２００上の各画素部２１０から構成される画像は、全ての画素部２１０での焦点距離（ピント）があっているので、画像のひずみは生じることがない。
よって、各画素部２１０から、ひずみの無い画像をスクリーン２００上に投射できる。
また、リアプロジェクタ装置１は、従来のように鏡等の光学系を用いることなく、前記光出射部６０毎にマイクロレンズ５００を備えることでスクリーン２００上の画像のひずみを防止しているので、リアプロジェクタ装置１の装置構成を簡略化できる。
【００３３】
本発明のプロジェクタによれば、各光出射部６０からスクリーン２００上の対応する各画素部２１０までの光路長が異なっていても、各光出射部６０が備えたマイクロレンズ５００によって、光出射部６０からの光を、対応する画素部２１０上で焦点を結ばせることができる。
すなわち、各光出射部６０からの光が、対応するすべての光出射部６０上で焦点を結ぶので、スクリーン２００上のすべての画素部２１０には焦点距離（ピント）の合った像が投射できる。ここで、スクリーン２００上の画像は、全ての画素部２１０の焦点距離（ピント）があっているので、画像のひずみは生じない。
また、スクリーン２００の画像のひずみを防止し、従来のように鏡等の光学系を用いる必要が無く、プロジェクタの装置構成を簡略化できる。
【００３４】
また、本発明のプロジェクタとしては、本実施形態で説明したような、スクリーンの背面側から画像を投射することで、大画面の画像を表示させるリアプロジェクタ装置に対し、特に有効に用いることができる。その理由としては、リアプロジェクタ装置１は構造上スクリーン２００に対して下方、及び上方（本実施形態では、下方）から画像を投射するため、従来のように鏡等の光学系を用いないと、スクリーン２００上の画像にひずみが生じてしまう。そこで、前述したように本実施形態のリアプロジェクタ装置１では、前記各画素部２１０における焦点距離を各光路長に合わせることで、前記の光学系を用いることなくスクリーン２００上の画像のひずみを防止できる。
よって、前記筐体１０内に前記の光学系を設けるスペースが不要となり、筐体１０の厚みを薄くでき、結果としてリアプロジェクタ装置１の小型化、薄型化を図ることができる。
【００３５】
なお、本発明はリアプロジェクタ以外にスクリーンとライトバルブの位置関係が固定されたフロントタイプのプロジェクタにも有効である。
【００３６】
なお、前記実施形態では、３板式プロジェクタに本発明を適用したが、単板式プロジェクタに本発明を適用することも可能である。なお、各色同時表示方式の単板式プロジェクタでは白色光源およびカラーフィルタを備え、時間順次表示方式の単板式プロジェクタでは各色光源および光変調手段が時間順次に駆動されるが、いずれに対しても本発明を適用することが可能である。
また、前記実施形態では、光変調手段として液晶ライトバルブ１００を用いて説明したが、液晶ライトバルブ１００の代わりに、デジタルマイクロミラーデバイス（ＤＭＤ：登録商標）を用い、光の出射側にマイクロレンズを設けるようにしてもよい。
【図面の簡単な説明】
【００３７】
【図１】（ａ）はリアプロジェクタ装置、（ｂ）は（ａ）における側断面である。
【図２】リアプロジェクタ装置の投射光学系の構成を示す概略図である。
【図３】液晶ライトバルブの平面図である。
【図４】図３におけるＡ−Ａ線矢視による前記液晶ライトバルブの側断面である。
【図５】光出射部と画素部との対応関係を説明する図である。
【図６】前記液晶ライトバルブからスクリーン上に光を投射した際の説明図である。
【符号の説明】
【００３８】
１…リアプロジェクタ装置（プロジェクタ）、１０…筐体、６０…光出射部、１００…液晶ライトバルブ（光変調素子）、１０２…ランプユニット、１１４…投射レンズ、２００…スクリーン、２１０…画素部、５００…マイクロレンズ（焦点距離調節手段）
【図１】
2006215161.tif 000003
【図２】
2006215161.tif 000004
【図３】
2006215161.tif 000005
【図４】
2006215161.tif 000006
【図５】
2006215161.tif 000007
【図６】
2006215161.tif 000008